(57)【要約】【課題】ネットワーク機器に対して作業を行おうとする運用管理者がその作業の影響範囲を把握することが困難であるという問題があった。【解決手段】ネットワーク運用管理システムが提供される。カメラ３１は、識別マーカー１０ａが付されたネットワーク機器１０を撮影して撮影画像１３を生成する。データベース２０は、識別マーカー１０ａの外観を示す識別マーカー情報２０ａとネットワーク機器１０の設定情報２０ｂとを対応付けて格納する。機器識別手段２１は、撮影画像１３及びデータベース２０に基づいてネットワーク機器１０を識別する。エミュレータ手段２２は、設定情報２０ｂに基づいてネットワーク機器１０を含む通信経路をエミュレートする。画像作成手段２３は、通信経路の少なくとも一部を表す画像２３１を作成する。拡張現実表示装置３０は、画像２３１をネットワーク機器１０又は撮影画像１３と重畳して表示する。【選択図】図１
2014175709.tif 000002
【特許請求の範囲】
【請求項１】
識別マーカーが付されたネットワーク機器を撮影して撮影画像を生成するカメラと、
前記識別マーカーを含む複数の識別マーカーの外観を示す複数の識別マーカー情報と前記ネットワーク機器を含む複数のネットワーク機器の複数の設定情報とを対応付けて格納したデータベースと、
前記撮影画像及び前記データベースに基づいて前記ネットワーク機器を識別する機器識別手段と、
前記データベースに格納された前記ネットワーク機器の設定情報に基づいて前記ネットワーク機器を含む通信経路をエミュレートするエミュレータ手段と、
前記通信経路の少なくとも一部を表す画像を作成する画像作成手段と、
前記画像を前記ネットワーク機器又は前記撮影画像と重畳して表示する拡張現実表示装置と
を具備する
ネットワーク運用管理システム。
【請求項２】
請求項１に記載のネットワーク運用管理システムであって、
前記エミュレータ手段は、前記ネットワーク機器に適用される予定の設定変更情報に基づいて前記ネットワーク機器を含む設定変更後通信経路をエミュレートし、
前記画像作成手段は、前記設定変更後通信経路の少なくとも一部を表す設定変更後画像を作成し、
前記拡張現実表示装置は、前記設定変更後画像を前記ネットワーク機器又は前記撮影画像と重畳して表示する
ネットワーク運用管理システム。
【請求項３】
請求項２に記載のネットワーク運用管理システムであって、
運用管理者端末を更に具備し、
前記拡張現実表示装置は、前記運用管理者端末の操作に基づいて前記画像及び前記設定変更後画像を切り替えて表示する
ネットワーク運用管理システム。
【請求項４】
請求項１乃至３のいずれか１項に記載のネットワーク運用管理システムであって、
前記通信経路から運用管理者が指定した端末の間の通信経路を抽出するフィルタリング手段を更に具備し、
前記画像は、前記端末の間の前記通信経路の少なくとも一部を表す
ネットワーク運用管理システム。
【請求項５】
請求項１乃至４のいずれか１項に記載のネットワーク運用管理システムであって、
前記カメラのカメラ位置情報及びカメラ姿勢情報を検出する位置・姿勢センサを更に具備し、
前記データベースは、前記複数の識別マーカー情報と前記複数のネットワーク機器の複数のネットワーク機器位置情報とを対応付けて格納し、前記通信経路の送信元及び送信先を含む複数の端末の複数の端末位置情報と前記複数の端末にそれぞれ付された複数の端末識別マーカーの外観を示す複数の端末識別マーカー情報とを対応付けて格納し、
前記画像作成手段は、前記カメラ位置情報、前記カメラ姿勢情報及び前記データベースに基づいて前記通信経路の一部を前記画像の作成対象として選択し、前記カメラの動きに同期して前記通信経路のうち前記画像の作成対象となる部分を変更する
ネットワーク運用管理システム。
【請求項６】
請求項１乃至４のいずれか１項に記載のネットワーク運用管理システムであって、
前記カメラのカメラ位置情報を検出する位置センサを更に具備し、
前記データベースは、前記通信経路の送信元及び送信先を含む複数の端末の複数の端末位置情報を格納し、
前記画像作成手段は、前記カメラ位置情報及び前記データベースに基づいて前記送信元又は前記送信先としての端末が前記カメラから遠隔地にあると判定し、前記送信元又は前記送信先としての前記端末が遠隔地に設置されていることを示す端末設置情報画像を作成し、
前記拡張現実表示装置は、前記画像とともに前記端末設置情報画像を表示する
ネットワーク運用管理システム。
【請求項７】
識別マーカーが付されたネットワーク機器を撮影して撮影画像を生成するステップと、
前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、
前記データベースに格納された前記ネットワーク機器の設定情報に基づいて前記ネットワーク機器を含む通信経路をエミュレートするステップと、
前記通信経路の少なくとも一部を表す画像を作成するステップと、
前記画像を前記ネットワーク機器又は前記撮影画像と重畳して拡張現実表示するステップと
を具備する
ネットワーク運用管理方法。
【請求項８】
識別マーカーが付されたネットワーク機器を撮影して生成された撮影画像を受信する受信手段と、
前記識別マーカーを含む複数の識別マーカーの外観を示す複数の識別マーカー情報と前記ネットワーク機器を含む複数のネットワーク機器の複数の設定情報とを対応付けて格納したデータベースと、
前記撮影画像及び前記データベースに基づいて前記ネットワーク機器を識別する機器識別手段と、
前記データベースに格納された前記ネットワーク機器の設定情報に基づいて前記ネットワーク機器を含む通信経路をエミュレートするエミュレータ手段と、
前記通信経路の少なくとも一部を表す画像を作成する画像作成手段と、
前記画像を前記ネットワーク機器又は前記撮影画像と重畳して表示する拡張現実表示装置に前記画像を送信する送信手段と
を具備する
ネットワーク管理装置。
【請求項９】
識別マーカーが付されたネットワーク機器を撮影して生成された撮影画像を受信するステップと、
前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、
前記データベースに格納された前記ネットワーク機器の設定情報に基づいて前記ネットワーク機器を含む通信経路をエミュレートするステップと、
前記通信経路の少なくとも一部を表す画像を作成するステップと、
前記画像を前記ネットワーク機器又は前記撮影画像と重畳して表示する拡張現実表示装置に前記画像を送信するステップと
を具備する
ネットワーク運用管理方法。
【請求項１０】
識別マーカーが付されたネットワーク機器を撮影して生成された撮影画像を受信するステップと、
前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、
前記データベースに格納された前記ネットワーク機器の設定情報に基づいて前記ネットワーク機器を含む通信経路をエミュレートするステップと、
前記通信経路の少なくとも一部を表す画像を作成するステップと、
前記画像を前記ネットワーク機器又は前記撮影画像と重畳して表示する拡張現実表示装置に前記画像を送信するステップと
を具備するネットワーク運用管理方法をコンピュータに実行させるプログラム。
【発明の詳細な説明】
【技術分野】
【０００１】
本発明はネットワークの運用管理を行うシステム、装置、方法、及びプログラムに関する。
【背景技術】
【０００２】
特許文献１は、拡張現実（Ａｒｇｍｅｎｔｅｄ  Ｒｅａｌｉｔｙ）を利用した保守・監視システムを開示している。その保守・監視システムは、高い技術レベルの作業員でなくても適切、的確、迅速に監視、保守、メンテナンス作業を行うことを可能とする。以下、その保守・監視システムを説明する。監視対象としての業務サーバは、個別のサーバを映像で識別するための監視対象識別手段としてのマーカーを有する。業務サーバは自身のステータスを監視サーバに送信しステータス管理データベースを更新する。監視カメラによって撮影された業務サーバの外観を示す映像も監視サーバに送信される。ステータス重畳手段は、監視カメラによって撮影された監視映像に対し、ステータス管理データベースに蓄積される業務サーバのステータスを、マーカーを基準にして対応する業務サーバの映像近傍に重畳させて拡張現実映像を生成し、表示手段に当該拡張現実映像を表示する。
【０００３】
特許文献２は、拡張現実を利用した情報処理システムを開示している。その情報処理システムは、予期しない障害が発生した場合でも、最適な障害修復作業を案内して作業支援を行うことができる。以下、その情報処理システムを説明する。故障解析装置は、データセンタの稼働状況に係る情報を取得し、稼働状況に係る情報に基づいて、データセンタに対する障害修復作業に関する情報を判定し、障害修復作業に関する情報をヘッドマウントディスプレイ（ＨＭＤ）に対して送信する。ＨＭＤは、障害修復作業に関する情報に基づいて、障害修復作業の方法を案内するコンピュータグラフィックス画像データを現実空間の映像と合成して提示する。故障解析装置は、ＨＭＤによって提示された案内による障害修復作業の後、データセンタの稼働状況に係る情報を新たに取得した場合、当該稼働状況に係る情報に基づいて、データセンタに対する障害修復作業に関する情報を新たに判定し、ＨＭＤに対して送信する。
【０００４】
更に、特許文献２は、フリーアクセスフロアに敷設された実際のネットワークケーブルに沿って、当該ネットワークケーブルを表す仮想画像を現実空間におけるフロアパネルあるいはフロアパネルの撮像画像に重畳表示させる故障解析システムを開示している。
【０００５】
特許文献３は、設定ファイルの切り替えによりネットワーク障害が発生することを防止するネットワーク装置を開示している。そのネットワーク装置は、現用ユニットとシミュレータユニットとから構成され、シミュレータユニットにおいて現用ユニットにおいて現用ユニットと同一の環境で設定ファイルによるシミュレーションを実行し、問題を解決した後に当該設定ファイルを現用ユニットの設定に適用する。
【先行技術文献】
【特許文献】
【０００６】
【特許文献１】特開２０１２−  １８６０５号公報
【特許文献２】特開２０１１−２４８８６０号公報
【特許文献３】特開２００８−１８２２９０号公報
【発明の概要】
【発明が解決しようとする課題】
【０００７】
仮想化されたネットワークでは、物理的構成と論理的構成が異なる場合が少なくないため、管理の対象となっているネットワークの外観から実際の通信経路を判別することが困難である。そのため、ネットワーク機器に対して作業を行おうとする運用管理者がその作業の影響範囲を把握することが困難であるという問題があった。特許文献１−３は、管理の対象となっているネットワークの実際の通信経路を表示する技術を提供するものではない。例えば、特許文献２に開示された技術によれば、フロアパネルを取り除かなくてもフリーアクセスフロアに敷設されたネットワークケーブルの敷設経路を判別できるが、そのネットワークケーブルが通信経路として機能しているかを判別できない。
【０００８】
本発明は、このような問題点を解決するためになされたものであり、ネットワーク機器に対して作業を行おうとする運用管理者がその作業の影響範囲を把握することができるネットワーク運用管理システム、ネットワーク管理装置、ネットワーク運用管理方法、及びプログラムを提供することを目的とする。
【課題を解決するための手段】
【０００９】
本発明にかかるネットワーク運用管理システムは、識別マーカーが付されたネットワーク機器を撮影して撮影画像を生成するカメラと、前記識別マーカーを含む複数の識別マーカーの外観を示す複数の識別マーカー情報と前記ネットワーク機器を含む複数のネットワーク機器の複数の設定情報とを対応付けて格納したデータベースと、前記撮影画像及び前記データベースに基づいて前記ネットワーク機器を識別する機器識別手段と、前記データベースに格納された前記ネットワーク機器の設定情報に基づいて前記ネットワーク機器を含む通信経路をエミュレートするエミュレータ手段と、前記通信経路の少なくとも一部を表す画像を作成する画像作成手段と、前記画像を前記ネットワーク機器又は前記撮影画像と重畳して表示する拡張現実表示装置とを具備する。
【００１０】
本発明にかかるネットワーク運用管理方法は、識別マーカーが付されたネットワーク機器を撮影して撮影画像を生成するステップと、前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、前記データベースに格納された前記ネットワーク機器の設定情報に基づいて前記ネットワーク機器を含む通信経路をエミュレートするステップと、前記通信経路の少なくとも一部を表す画像を作成するステップと、前記画像を前記ネットワーク機器又は前記撮影画像と重畳して拡張現実表示するステップとを具備するネットワーク運用管理方法。
【００１１】
本発明にかかるネットワーク管理装置は、識別マーカーが付されたネットワーク機器を撮影して生成された撮影画像を受信する受信手段と、前記識別マーカーを含む複数の識別マーカーの外観を示す複数の識別マーカー情報と前記ネットワーク機器を含む複数のネットワーク機器の複数の設定情報とを対応付けて格納したデータベースと、前記撮影画像及び前記データベースに基づいて前記ネットワーク機器を識別する機器識別手段と、前記データベースに格納された前記ネットワーク機器の設定情報に基づいて前記ネットワーク機器を含む通信経路をエミュレートするエミュレータ手段と、前記通信経路の少なくとも一部を表す画像を作成する画像作成手段と、前記画像を前記ネットワーク機器又は前記撮影画像と重畳して表示する拡張現実表示装置に前記画像を送信する送信手段とを具備する。
【００１２】
本発明にかかるネットワーク運用管理方法は、識別マーカーが付されたネットワーク機器を撮影して生成された撮影画像を受信するステップと、前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、前記データベースに格納された前記ネットワーク機器の設定情報に基づいて前記ネットワーク機器を含む通信経路をエミュレートするステップと、前記通信経路の少なくとも一部を表す画像を作成するステップと、前記画像を前記ネットワーク機器又は前記撮影画像と重畳して表示する拡張現実表示装置に前記画像を送信するステップとを具備する。
【００１３】
本発明にかかるプログラムは、識別マーカーが付されたネットワーク機器を撮影して生成された撮影画像を受信するステップと、前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、前記データベースに格納された前記ネットワーク機器の設定情報に基づいて前記ネットワーク機器を含む通信経路をエミュレートするステップと、前記通信経路の少なくとも一部を表す画像を作成するステップと、前記画像を前記ネットワーク機器又は前記撮影画像と重畳して表示する拡張現実表示装置に前記画像を送信するステップとを具備するネットワーク運用管理方法をコンピュータに実行させる。
【発明の効果】
【００１４】
本発明によれば、ネットワーク機器に対して作業を行おうとする運用管理者がその作業の影響範囲を把握することができるネットワーク運用管理システム、ネットワーク管理装置、ネットワーク運用管理方法、及びプログラムが提供される。
【図面の簡単な説明】
【００１５】
【図１】実施の形態１にかかるネットワーク運用管理システムの概略図である。
【図２】実施の形態１にかかるネットワーク運用管理方法のフローチャートである。
【図３】実施の形態２にかかるネットワーク運用管理システムの一部を示す概略図である。
【図４】実施の形態２にかかるネットワーク運用管理システムの他の一部を示す概略図である。
【図５】実施の形態２にかかるネットワーク運用管理方法のフローチャートである。
【図６】実施の形態２にかかる拡張現実表示装置の表示内容の一例を示す。
【図７】実施の形態２にかかる拡張現実表示装置の表示内容の他の例を示す。
【図８】実施の形態２にかかる拡張現実表示装置の表示内容の更に他の例を示す。
【図９】実施の形態３にかかるネットワーク運用管理システムの一部を示す概略図である。
【図１０】実施の形態３にかかる拡張現実表示装置の表示内容の一例を示す。
【図１１】実施の形態３にかかる拡張現実表示装置の表示内容の他の例を示す。
【図１２】実施の形態４にかかる拡張現実表示装置の表示内容の一例を示す。
【図１３】実施の形態５にかかる運用管理者機器の概略図である。
【図１４】実施の形態６にかかるネットワーク運用管理システムの一部を示す概略図である。
【図１５】実施の形態７にかかるネットワーク管理装置のハードウェア構成を示す概略図である。
【発明を実施するための形態】
【００１６】
（実施の形態１）
はじめに、実施の形態１にかかるネットワーク運用管理システム、ネットワーク管理装置、及びネットワーク運用管理方法を説明する。
【００１７】
図１を参照して、実施の形態１にかかるネットワーク運用管理システムの構成を説明する。ネットワーク運用管理システムは、複数の識別マーカー１０ａ及び１１ａと、カメラ３１と、ネットワーク管理装置２と、拡張現実表示装置３０とを備える。ネットワーク管理装置２は、例えば、管理サーバである。ネットワーク１００は、複数のネットワーク機器１０と、複数の端末１１と、これらを互いに接続する接続ケーブル１２とを備える。ネットワーク機器１０が管理対象である。ネットワーク機器１０は、例えば、スイッチ又はルータである。複数の識別マーカー１０ａは、複数のネットワーク機器１０にそれぞれ付されている。例えば、識別マーカー１０ａは、ネットワーク機器１０に貼付されている。識別マーカー１０ａは、対応するネットワーク機器１０を識別できるようにユニークな外観を有している。複数の端末１１は、通信の送信元としての端末１１と、通信の送信先としての端末１１を含む。端末１１は、例えば、サーバである。複数の識別マーカー１１ａは、複数の端末１１にそれぞれ付されている。例えば、識別マーカー１１ａは、端末１１に貼付されている。識別マーカー１１ａは、対応する端末１１を識別できるようにユニークな外観を有している。
【００１８】
ネットワーク管理装置２は、図示されない受信部と、データベース２０と、機器識別部２１と、エミュレータ部２２と、画像作成部２３と、図示されない送信部とを備える。データベース２０は、複数の識別マーカー１０ａの外観を示す複数の識別マーカー情報２０ａと複数のネットワーク機器１０の複数の設定情報２０ｂとを対応付けて格納している。具体的には、ネットワーク機器１０ごとに、そのネットワーク機器１０に付された識別マーカー１０ａの外観を示す識別マーカー情報２０ａと、そのネットワーク機器１０の設定情報２０ｂとが互いに対応づけられている。データベース２０は、端末１１ごとに、その端末１１に付された識別マーカー１１ａの外観を示す識別マーカー情報２０ａと、その端末１１の設定情報２０ｂとを互いに対応付けて格納していてもよい。
【００１９】
図１を参照して、本実施の形態にかかるネットワーク運用管理システムの動作を説明する。カメラ３１は、ネットワーク１００を撮影して撮影画像１３を生成する。カメラ３１は、ネットワーク１００の全部又は一部を撮影する。カメラ３１は、少なくとも一つのネットワーク機器１０とそれに付された識別マーカー１０ａとを撮影する。ネットワーク管理装置２の受信部は、撮影画像１３を受信する。機器識別部２１は、撮影画像１３及びデータベース２０に基づいて、撮影画像１３に写っているネットワーク機器１０を識別する。エミュレータ部２２は、識別されたネットワーク機器１０の設定情報２０ｂに基づいて、識別されたネットワーク機器１０を含む通信経路をエミュレートする。画像作成部２３は、エミュレートされた通信経路の少なくとも一部を表す画像２３ａを作成する。画像２３ａは、例えば、コンピュータグラフィックス（ＣＧ）画像である。ネットワーク管理装置２の送信部は、画像２３ａを拡張現実表示装置３０に送信する。拡張現実表示装置３０は、画像２３ａをネットワーク１００の全部又は一部と重畳して表示する。ここで、ネットワーク１００の全部又は一部は、機器識別部２１が識別したネットワーク機器１０を含む。或いは、拡張現実表示装置３０は、画像２３ａを撮影画像１３と重畳して表示する。図１には、画像２３ａが、送信元の端末１１からいくつかのネットワーク機器１０を経由して送信先の端末１１に至る通信経路を表す画像２３１である例が示されている。
【００２０】
図２を参照して、本実施の形態にかかるネットワーク運用管理方法を説明する。ネットワーク運用管理方法は、ステップＳ１０〜Ｓ５０を含む。
【００２１】
ステップＳ１０において、カメラ３１は、ネットワーク１００を撮影して撮影画像１３を生成する。カメラ３１は、ネットワーク１００の全部又は一部を撮影する。カメラ３１は、少なくとも一つのネットワーク機器１０とそれに付された識別マーカー１０ａとを撮影する。ネットワーク管理装置２の受信部は、撮影画像１３を受信する。ステップＳ２０において、機器識別部２１は、撮影画像１３及びデータベース２０に基づいて、撮影画像１３に写っているネットワーク機器１０を識別する。具体的には、機器識別部２１は、撮影画像１３に写っている識別マーカー１０ａ及び識別マーカー１０ａの外観を表す識別マーカー情報２０ａに基づいてネットワーク機器１０を識別する。ステップＳ３０において、エミュレータ部２２は、識別されたネットワーク機器１０の設定情報２０ｂに基づいて、識別されたネットワーク機器１０を含む通信経路をエミュレートする。
【００２２】
ステップＳ４０において、画像作成部２３は、エミュレートされた通信経路の少なくとも一部を表す画像２３ａを作成する。ステップＳ５０において、ネットワーク管理装置２の送信部は、画像２３ａを拡張現実表示装置３０に送信する。拡張現実表示装置３０は、画像２３ａをネットワーク１００の全部又は一部と重畳して拡張現実表示する。ここで、ネットワーク１００の全部又は一部は、少なくとも一つのネットワーク機器１０を含む。或いは、拡張現実表示装置３０は、画像２３ａを撮影画像１３と重畳して拡張現実表示する。
【００２３】
以下に、本実施の形態の効果を説明する。
【００２４】
仮想化されたネットワークでは、ネットワークの物理構成からは実際の通信経路を判別することが困難であり、ネットワークの運用管理者がサーバやネットワーク機器等のネットワークを構成する機器に対して作業を行う際に、その作業の影響範囲を把握することが重要である。
【００２５】
拡張現実表示装置３０の表示内容を見た運用管理者の視覚では、画像２３ａ（例えば画像２３１）と現実のネットワーク１００又はネットワーク１００の撮影画像１３が重畳される。ネットワーク１００の運用管理者は、ネットワーク機器１０に対して作業を行う際に拡張現実表示装置３０の表示内容を見ることで、ネットワーク１００の外観と実際の通信経路との対応関係をリアルタイムに視認することができる。したがって、運用管理者は、その作業の影響範囲を把握することができる。
【００２６】
本実施形態によれば、仮想化されたネットワークを含め様々なネットワークの運用管理において、物理的なネットワーク構成と論理的なネットワーク構成が異なる場合においても、確実かつ効率的な運用管理業務を実行することが可能となる。その理由は、運用管理者にネットワークに対する特別な知識、技術が無い場合においても、運用管理者は、拡張現実表示装置３０の表示内容を見ることで、作業の影響範囲を確認しながら作業を行うことが可能なためである。
【００２７】
本実施形態によれば、拡張現実技術を利用してネットワークの運用管理を簡易化及び効率化することができる。仮想化が進むネットワーク環境において、運用管理者の作業負担を軽減することができる。
【００２８】
（実施の形態２）
次に、実施の形態２にかかるネットワーク運用管理システム、ネットワーク管理装置、及びネットワーク運用管理方法を説明する。以下において、実施の形態１と共通する事項及び実施の形態１から自明な事項の説明は省略される場合がある。
【００２９】
図３を参照して、本実施の形態にかかるネットワーク運用管理システムは、ネットワーク管理装置２、運用管理者機器３、及び運用管理者端末４を備える。ネットワーク管理装置２は、ネットワーク機器１０の情報を管理する。ネットワーク管理装置２は、図示されない受信部と、データベース２０と、機器識別部２１と、エミュレータ部２２と、画像作成部２３と、フィルタリング部２４と、図示されない送信部とを備える。運用管理者機器３は、拡張現実表示装置３０と、カメラ３１と、図示されない送信部と、図示されない受信部とを備える。運用管理者機器３は、例えば、ウェアラブル機器である。拡張現実表示装置３０は、ヘッドマウント型の光学シースルーディスプレイである。カメラ３１は、運用管理者機器３（拡張現実表示装置３０）を装着した運用管理者の顔が向く方向を撮影する。
【００３０】
図４を参照して、本実施の形態にかかるネットワーク運用管理システムは、ステータス送信部１０ｂ及び１１ｂを備える。ステータス送信部１０ｂは、ネットワーク機器１０ごとに設けられる。ステータス送信部１０ｂは、対応するネットワーク機器１０のステータス情報２０ｃをネットワーク管理装置２に随時送信する。ステータス情報２０ｃは、例えば、インタフェース状態や通信量である。インタフェース状態は、例えば、「正常」や「ポート１  ダウン」である。ステータス送信部１１ｂは、端末１１ごとに設けられる。ステータス送信部１１ｂは、対応する端末１１のステータス情報２０ｃをネットワーク管理装置２に随時送信する。ネットワーク管理装置２の受信部は、ステータス情報２０ｃを受信する。
【００３１】
データベース２０は、ネットワーク機器１０ごとに、そのネットワーク機器１０に付された識別マーカー１０ａの外観を示す識別マーカー情報２０ａに対応付けて、そのネットワーク機器１０の設定情報２０ｂと、そのネットワーク機器１０のステータス情報２０ｃと、そのネットワーク機器１０の機器名称２０ｄと、そのネットワーク機器１０の機器情報２０ｅと、そのネットワーク機器１０の位置情報２０ｆとを格納する。機器名称２０ｄは、例えば、「スイッチ＃１」等である。機器情報２０ｅは、例えば、そのネットワーク機器１０の外観情報を含む。位置情報２０ｆは、ネットワーク機器１０の設置場所を示す。データベース２０は、端末１１ごとに、その端末１１に付された識別マーカー１１ａの外観を示す識別マーカー情報２０ａに対応付けて、その端末１１の設定情報２０ｂと、その端末１１のステータス情報２０ｃと、その端末１１の機器名称２０ｄと、その端末１１の機器情報２０ｅと、その端末１１の位置情報２０ｆとを格納する。
【００３２】
次に、本実施の形態にかかるネットワーク運用管理システムの動作を説明する。
【００３３】
運用管理者端末４は、運用管理者による運用管理者端末４の入力部（例えば、キーボードやタッチパッド）の操作に基づいて設定変更情報４１及びフィルタリング条件４２を生成（設定）する。設定変更情報４１は、ネットワーク機器１０及び端末１１の現在の設定情報２０ｂ（データベース２０に格納されている設定情報２０ｂ）のかわりにネットワーク機器１０及び端末１１に適用される予定の設定情報である。フィルタリング条件４２は、拡張現実表示装置３０に表示させる通信経路を限定するために用いられる。フィルタリング条件４２は、例えば、運用管理者が指定した送信元の端末１１及び送信先の端末１１を示す。運用管理者端末４は、設定変更情報４１及びフィルタリング条件４２をそれぞれエミュレータ部２２及びフィルタリング部２４に登録するために、設定変更情報４１及びフィルタリング条件４２をネットワーク管理装置２に送信する。
【００３４】
カメラ３１は、ネットワーク１００を撮影して撮影画像１３を生成する。運用管理者機器３の送信部は、カメラ３１が生成した撮影画像１３をネットワーク管理装置２に送信する。ネットワーク管理装置２の受信部は、撮影画像１３を受信する。機器識別部２１は、撮影画像１３及びデータベース２０に基づいて、撮影画像１３に写っているネットワーク機器１０及び端末１１を識別する。機器識別部２１は、ネットワーク機器１０に付された識別マーカー１０ａに基づいてネットワーク機器１０を識別し、端末１１に付された識別マーカー１１ａに基づいて端末１１を識別する。機器識別部２１は、識別結果に基づいて、識別されたネットワーク機器１０の設定情報２０ｂ、ステータス情報２０ｃ、機器情報２０ｅ、及び位置情報２０ｆの結びつけを行い、これらをエミュレータ部２２に送る。エミュレータ部２２は、データベース２０の情報に基づいて、ネットワーク管理装置２内でネットワーク環境を仮想的に再現する機能を備える。エミュレータ部２２は、データベース２０の情報に基づいて通信経路をエミュレートし、その結果をフィルタリング部２４に送る。フィルタリング部２４は、エミュレータ部２２が仮想的に再現したネットワーク環境から運用管理者が運用管理者端末４を用いて選択した端末１１の間の通信経路のみに限定する機能を備える。フィルタリング部２４は、エミュレータ部２２から受け取った結果を運用管理者が指定した端末１１の間の通信経路に制限する処理を実行し、その結果を画像作成部２３に送る。画像作成部２３は、エミュレータ部２２の処理結果及びフィルタリング部２４の処理結果に基づいて、拡張現実表示装置３０に表示させるべき画像２３ａを作成する。ネットワーク管理装置２の送信部は、画像２３ａを拡張現実表示装置３０に送信する。運用管理者機器３の受信部は、画像２３ａを受信する。拡張現実表示装置３０は、画像２３ａを表示する。拡張現実表示装置３０を装着した運用管理者の視覚では、拡張現実表示装置３０が表示する画像２３ａと、現実世界が重畳される。運用管理者は、通信経路をリアルタイムに把握できる。
【００３５】
図５を参照して、本実施の形態にかかるネットワーク運用管理方法を説明する。ネットワーク運用管理方法は、ステップＳ１１０〜Ｓ２２０を含む。
【００３６】
ステップＳ１１０において、エミュレータ部２２は、ステップＳ２０において識別されたネットワーク機器１０の設定情報２０ｂをデータベース２０から取得する。ステップＳ１２０において、エミュレータ部２２は、取得した設定情報２０ｂに基づいて、識別されたネットワーク機器１０のネットワーク環境をエミュレータ部２２の内部で再現する。具体的には、エミュレータ部２２は、識別されたネットワーク機器１０を含む通信経路をエミュレートする。ステップＳ１２０はステップＳ３０に対応する。
【００３７】
ステップＳ１３０において、フィルタリング部２４は、フィルタリング条件４２に基づいて、画像２３ａの作成対象となる通信経路を絞り込む。具体的には、フィルタリング部２４は、ステップＳ１２０でエミュレータ部２２がエミュレートした通信経路から運用管理者の指定した端末１１の間の通信経路を抽出する。ステップＳ１４０において、フィルタリング部２４は、データベース２０に格納されたステータス情報２０ｃからステップＳ１３０で抽出した通信経路とともに表示すべきステータス情報２０ｃを選択する。例えば、フィルタリング部２４は、ステップＳ１３０で抽出した通信経路に含まれるネットワーク機器１０及び端末１０のステータス情報２０ｃを選択する。或いは、フィルタリング部２４は、ステップＳ１３０で抽出した通信経路に含まれ、且つ撮影画像１３に写っているネットワーク機器１０及び端末１０のステータス情報２０ｃを選択してもよい。
【００３８】
ステップＳ１５０において、フィルタリング部２４は、通信経路を表示するための必要事項が網羅されているかどうか判定する。必要事項は、例えば、フィルタリング条件４２及び設定情報２０ｂである。必要事項が網羅されていない場合はステップＳ１６０に移行し、必要事項が網羅されている場合はステップＳ１７０に移行する。ステップＳ１６０において、画像作成部２３は、エラーを表示する画像２３ａを作成する。拡張現実表示装置３０は、エラーを表示する画像２３ａを表示する。
【００３９】
ステップＳ１７０において、エミュレータ部２２は、設定変更前後の通信経路の比較をするかどうか選択する。例えば、ネットワーク管理装置２の受信部が受信した設定変更情報４１がステップＳ２０で識別されたネットワーク機器１０に適用される予定の設定情報を含まない場合、エミュレータ部２２は、設定変更前後の通信経路の比較をしないと決定し、ステップＳ１８０に移行する。ネットワーク管理装置２の受信部が受信した設定変更情報４１がステップＳ２０で識別されたネットワーク機器１０に適用される予定の設定情報を含む場合、エミュレータ部２２は、設定変更前後の通信経路の比較をすると決定し、ステップＳ１９０に移行する。
【００４０】
ステップＳ１８０において、画像作成部２３は、ステップＳ１３０で抽出された通信経路の少なくとも一部とステップＳ１４０で選択されたステータス情報２０ｃを表す画像２３ａを作成する。ここで、画像作成部２３は、画像２３ａを作成するときに、撮影画像１３に写った識別マーカー１０ａ及び１１ａの位置を参照する。これにより、拡張現実表示されたときの画像２３ａの位置の整合度が高まる。尚、ステップＳ１８０は、ステップＳ４０に対応する。
【００４１】
図６は、ステップＳ１８０で作成された画像２３ａに基づいて拡張現実表示装置３０が表示する内容の一例を示す。拡張現実表示装置３０は、運用管理者がシースルーで見ているネットワーク１００の全部又は一部と重畳して画像２３ａを表示する。ここで、ネットワーク１００の全部又は一部は、機器識別部２１が識別したネットワーク機器１０を含む。画像２３ａは、送信元の端末１１からいくつかのネットワーク機器１０を経由して送信先の端末１１に至る通信経路を表す画像２３１と、その通信経路に含まれるネットワーク機器１０のステータス情報２０ｃの内容「正常」を表す画像２３２とを含む。
【００４２】
図７は、ステップＳ１８０で作成された画像２３ａに基づいて拡張現実表示装置３０が表示する内容の他の例を示す。図７は、ステップＳ１３０においてフィルタリング条件４２に基づいて複数の通信経路が抽出された場合の表示内容を示す。画像２３ａは、送信元の端末１１からいくつかのネットワーク機器１０を経由して送信先の端末１１に至る第１通信経路の少なくとも一部を表す画像２３１と、送信元の端末１１からいくつかのネットワーク機器１０を経由して送信先の端末１１に至る第２通信経路の少なくとも一部を表す画像２３３とを含む。第１通信経路及び第２通信経路は、送信先及び送信元が共通する互いに並列な通信経路である。この場合、拡張現実表示装置３０が画像２３１及び２３３を異なる色で表示することで、運用管理者は複数の通信経路を区別することができる。尚、図７においては、ステータス情報２０を表す画像２３２は省略されている。
【００４３】
ステップＳ１９０において、エミュレータ部２２は、設定変更情報４１を登録する。ステップＳ２００において、エミュレータ部２２は、設定変更情報４１のうちステップＳ２０において識別されたネットワーク機器に適用される予定の設定情報に基づいて、ステップＳ２０において識別されたネットワーク機器を含む通信経路（以下、「設定変更後通信経路」という。）をエミュレートする。ステップＳ２００はステップＳ３０に対応する。ステップＳ２１０において、フィルタリング部２４は、フィルタリング条件４２に基づいて、画像２３ａの作成対象となる通信経路を絞り込む。具体的には、フィルタリング部２４は、ステップＳ２００でエミュレータ部２２がエミュレートした設定変更後通信経路から運用管理者の指定した端末１１の間の通信経路を抽出する。
【００４４】
ステップＳ２２０において、画像作成部２３は、ステップＳ１３０で抽出された通信経路の少なくとも一部と、ステップＳ２１０で抽出された通信経路の少なくとも一部を表す画像２３ａを作成する。ここで、画像作成部２３は、画像２３ａを作成するときに、撮影画像１３に写った識別マーカー１０ａ及び１１ａの位置を参照する。これにより、拡張現実表示されたときの画像２３ａの位置の整合度が高まる。画像２３ａは、ステップＳ１４０で選択されたステータス情報２０ｃを更に含んでもよい。尚、ステップＳ２２０は、ステップＳ４０に対応する。
【００４５】
図８は、ステップＳ２２０で作成された画像２３ａに基づいて拡張現実表示装置３０が表示する内容の一例を示す。拡張現実表示装置３０は、運用管理者がシースルーで見ているネットワーク１００の全部又は一部と重畳して画像２３ａを表示する。ここで、ネットワーク１００の全部又は一部は、機器識別部２１が識別したネットワーク機器１０を含む。画像２３ａは、送信元の端末１１からいくつかのネットワーク機器１０を経由して送信先の端末１１に至る通信経路の少なくとも一部を表す画像２３１と、送信元の端末１１からいくつかのネットワーク機器１０を経由して送信先の端末１１に至る通信経路の少なくとも一部を表す画像２３４とを含む。ここで、画像２３１は、ステップＳ１３０で抽出された通信経路の少なくとも一部を表す。画像２３４は、ステップＳ２１０で抽出された通信経路の少なくとも一部を表す。
【００４６】
拡張現実表示装置３０は、画像２３１及び２３４を異なる色で表示することが好ましい。拡張現実表示装置３０は、上述したように画像２３１及び２３４を同時に表示してもよいが、画像２３１及び２３４を切り替えて表示してもよい。画像２３１及び２３４を切り替えて表示する場合、ネットワーク管理装置２にアクセスした運用管理者端末４を運用管理者が操作して表示すべき画像を選択できるようにしてもよい。
【００４７】
運用管理者は、ネットワーク機器１０の設定変更を実行しようとする場合、運用管理者端末４を用いて設定変更情報４１をエミュレータ部２２に登録することで、設定変更後の通信経路を設定変更の実行前に確認することができる。運用管理者は、設定変更前の通信経路に対応する画像２３１と設定変更後の通信経路に対応する画像２３４を比較することで、設定変更の実行前に設定変更前後での差分を確認できる。したがって、運用管理者は、ネットワーク機器１０の設定変更が及ぼす影響を事前に確認した上で作業を進めることが可能である。このようにすることで、設定変更によりネットワーク１００に異常が発生するリスクを低減することができる。
【００４８】
尚、エミュレータ部２２は、設定変更情報４１に基づいて、設定変更後のステータス情報をエミュレートしてもよい。拡張現実表示装置３０は、例えば、ステップＳ１４０で選択したステータス情報２０ｃを示す画像２３２を設定変更前の通信経路に対応する画像２３１とともに表示し、エミュレータ部２２が設定変更情報４１に基づいてエミュレートしたステータス情報を示す画像を設定変更後の通信経路に対応する画像２３４とともに表示する。この場合、設定変更の実行前に設定変更後の通信状況を確認でき、設定変更の実行前に設定変更前後での差分をより詳細に把握することができる。
【００４９】
尚、本実施形態において、ステップＳ１３０及びＳ２１０のフィルタリングを省略してもよい。また、拡張現実表示装置３０は、通信経路及びステータス情報だけでなく、管理対象であるネットワーク機器１０の管理に関わる様々な情報を表示してもよい。
【００５０】
（実施の形態３）
次に、実施の形態３にかかるネットワーク運用管理システム、ネットワーク管理装置、及びネットワーク運用管理方法を説明する。以下において、実施の形態２と共通する事項及び実施の形態２から自明な事項の説明は省略される場合がある。
【００５１】
図９を参照して、本実施の形態にかかる運用管理者機器３は、位置・姿勢センサ３２を備える。位置・姿勢センサ３２は、カメラ３１の位置情報及び姿勢情報（以下、「位置・姿勢情報３２ａ」という。）を検出する。位置・姿勢情報３２ａは、運用管理者機器３を装着した運用管理者の位置及び視覚の方向を示す。
【００５２】
ステップＳ１０において、カメラ３１は、ネットワーク１００を撮影して撮影画像１３を生成する。位置・姿勢センサ３２は、カメラ３１の位置・姿勢情報３２ａを検出する。運用管理者機器３の送信部は、位置・姿勢情報３２ａを撮影画像１３とともにネットワーク管理装置２に送信する。ネットワーク管理装置２の受信部は、撮影画像１３及び位置・姿勢情報３２ａを受信する。
【００５３】
ステップＳ２０において、機器識別部２１は、撮影画像１３、位置・姿勢情報３２ａ、及びデータベース２０に基づいて、撮影画像１３に写っているネットワーク機器１０を識別する。具体的には、機器識別部２１は、撮影画像１３に写っている識別マーカー１０ａ、識別マーカー１０ａの外観を表す識別マーカー情報２０ａ、位置・姿勢情報３２ａ、及びネットワーク機器１０の位置情報２０ｆに基づいてネットワーク機器１０を識別する。撮影画像１３及び識別マーカー情報２０ａに加えて位置・姿勢情報３２ａ及び位置情報２０ｆを利用することで、識別精度が向上する。尚、機器識別部２１は、撮影画像１３、位置・姿勢情報３２ａ、及びデータベース２０に基づいて、撮影画像１３に写っている端末１１を識別してもよい。
【００５４】
ここで、ネットワーク管理装置２のデータベース２０は、ステップＳ１３０で抽出される通信経路上のネットワーク機器１０を含む複数のネットワーク機器１０にそれぞれ付された複数の識別マーカー１０ａの外観を示す複数の識別マーカー情報２０ａと複数のネットワーク機器１０の複数の位置情報２０ｆとを対応付けて格納している。更に、データベース２０は、ステップＳ１３０で抽出される通信経路の送信元及び送信先を含む複数の端末１１の複数の位置情報２０ｆと複数の端末１１にそれぞれ付された複数の識別マーカー１１ａの外観を示す複数の識別マーカー情報２０ａとを対応付けて格納している。
【００５５】
ステップＳ１８０において、画像作成部２３は、ステップＳ１３０で抽出された通信経路の送信元としての端末１１、その通信経路の送信先としての端末、その通信経路上のネットワーク機器１０の全てが撮影画像１３に写っていない場合、位置・姿勢情報３２ａ及びデータベース２０に基づいて、その通信経路の一部を画像２３ａの作成対象として選択し、カメラ３１の動きに同期してその通信経路のうち画像２３ａの作成対象となる部分を変更する。
【００５６】
図１０は、ステップＳ１８０で作成された画像２３ａに基づいて拡張現実表示装置３０が表示する内容の一例を示す。拡張現実表示装置３０は、運用管理者がシースルーで見ているネットワーク１００の全部又は一部と重畳して画像２３ａを表示する。図１０に示すように、カメラ３１の動きに同期して画像２３ａの作成対象となる部分が変更される前において、画像２３ａは、ステップＳ１３０で抽出された通信経路の一部を表す画像２３５である。
【００５７】
図１１は、ステップＳ１８０で作成された画像２３ａに基づいて拡張現実表示装置３０が表示する内容の他の一例を示す。拡張現実表示装置３０は、運用管理者がシースルーで見ているネットワーク１００の全部又は一部と重畳して画像２３ａを表示する。図１１に示すように、カメラ３１の動きに同期して画像２３ａの作成対象となる部分が変更された後において、画像２３ａは、ステップＳ１３０で抽出された通信経路の他の一部を表す画像２３６である。
【００５８】
このようにすることで、ステップＳ１３０で抽出された通信経路の送信元としての端末１１、その通信経路の送信先としての端末１１、その通信経路上のネットワーク機器１０の全てが撮影画像１３に写らない場合でも、運用管理者は、視線の方向を動かすことで、その通信経路の全体を確認することができる。尚、ステップＳ１８０における画像作成部２３の動作をステップＳ２２０に適用してもよい。
【００５９】
（実施の形態４）
次に、実施の形態４にかかるネットワーク運用管理システム、ネットワーク管理装置、及びネットワーク運用管理方法を説明する。以下において、実施の形態２及び３と共通する事項及び実施の形態２及び３から自明な事項の説明は省略される場合がある。
【００６０】
本実施の形態にかかる運用管理者機器３は、位置・姿勢センサ３２を備える。位置・姿勢センサ３２は、カメラ３１の位置情報及び姿勢情報（以下、「位置・姿勢情報３２ａ」という。）を検出する。運用管理者機器３の送信部は、位置・姿勢情報３２ａを撮影画像１３とともにネットワーク管理装置２に送信する。ネットワーク管理装置２の受信部は、撮影画像１３及び位置・姿勢情報３２ａを受信する。
【００６１】
ステップＳ１８０において、画像作成部２３は、位置・姿勢情報３２ａ及びデータベース２０に基づいてステップＳ１３０で抽出された通信経路の送信元又は送信先としての端末１１がカメラ３１から遠隔地にあるかどうかを判定する。ここで、データベース２０は、ステップＳ１３０で抽出された通信経路の送信元及び送信先を含む複数の端末１１の複数の位置情報２０ｆを格納している。画像作成部２３は、送信元又は送信先としての端末１１がカメラ３１から遠隔地にあると判定した場合、ステップＳ１３０で抽出された通信経路の一部と送信元又は送信先としての端末１１が遠隔地に設定されていることを示す端末設置情報を表す画像２３ａを作成する。
【００６２】
図１２は、ステップＳ１８０で作成された画像２３ａに基づいて拡張現実表示装置３０が表示する内容の一例を示す。拡張現実表示装置３０は、運用管理者がシースルーで見ているネットワーク１００の全部又は一部と重畳して画像２３ａを表示する。画像２３ａは、ステップＳ１３０で抽出された通信経路の一部を表す画像２３７と、送信元又は送信先としての端末１１が遠隔地に設定されていることを示す端末設置情報を表す画像２３８とを含む。
【００６３】
このようにすることで、運用管理者は、送信元又は送信先としての端末１１が遠隔地に設置されていることを知ることができる。尚、ステップＳ１８０における画像作成部２３の動作をステップＳ２２０に適用してもよい。本実施の形態では、位置・姿勢センサ３２は、カメラ３１の姿勢情報を検出しなくてもよい。
【００６４】
（実施の形態５）
次に、実施の形態５にかかるネットワーク運用管理システム、ネットワーク管理装置、及びネットワーク運用管理方法を説明する。以下において、実施の形態２乃至４と共通する事項及び実施の形態２乃至４から自明な事項の説明は省略される場合がある。
【００６５】
図１３を参照して、本実施の形態にかかる運用管理者機器３を説明する。本実施の形態にかかる拡張現実表示装置３０は、光学シースルーディスプレイではなく、ビデオ透過型ディスプレイである。カメラ３１は、撮影画像１３を拡張現実表示装置３０に出力する。拡張現実表示装置３０は、画像２３ａを撮影画像１３と重畳して表示する。本実施の形態にかかる運用管理者機器３は、ウェアラブル機器、スマートフォン、又はタブレット端末である。運用管理者機器３がスマートフォン又はタブレット端末である場合は、運用管理者機器３は運用管理者端末４の機能を備えることができる。
【００６６】
（実施の形態６）
次に、実施の形態６にかかるネットワーク運用管理システム、ネットワーク管理装置、及びネットワーク運用管理方法を説明する。以下において、実施の形態１乃至４と共通する事項及び実施の形態１乃至４から自明な事項の説明は省略される場合がある。
【００６７】
図１４を参照して、本実施の形態にかかるネットワーク管理装置２は、画像合成部２５を更に備える。画像合成部２５は、画像２３ａ及び撮影画像１３を重畳して合成画像２３ｂを作成する。ネットワーク管理装置２の送信部は、合成画像２３ｂを送信する。拡張現実表示装置３０は、合成画像２３ｂを表示する。本実施形態にかかる拡張現実表示装置３０は、スマートフォン又はタブレット端末の表示装置である。本実施形態にかかる拡張現実表示装置３０は、運用管理者端末４の表示装置であってもよい。
【００６８】
（実施の形態７）
次に、実施の形態７にかかるネットワーク運用管理システム、ネットワーク管理装置、ネットワーク運用管理方法、及びプログラムを説明する。以下において、実施の形態１乃至６と共通する事項及び実施の形態１乃至６から自明な事項の説明は省略される場合がある。
【００６９】
上述したネットワーク管理装置２の受信部、送信部、機器識別部２１、エミュレータ部２２、画像作成部２３、フィルタリング部２４、及び画像合成部２５は、専用のハードウェアにより実現されてもよいが、ソフトウェアにより実現されてもよい。以下、ソフトウェアにより実現される場合を説明する。
【００７０】
図１５を参照して、本実施の形態にかかるネットワーク管理装置２は、ＣＰＵ（Ｃｅｎｔｒａｌ  Ｐｒｏｃｅｓｓｉｎｇ  Ｕｎｉｔ）２０１と、Ｉ／Ｆ（インタフェース）２０２と、記憶装置２０３とを備えるコンピュータである。Ｉ／Ｆ２０２は、通信装置、入力装置、出力装置などである。記憶装置２０３は、データベース２０と、プログラム２０４とを格納する。プログラム２０４は、実施の形態１乃至６にかかるネットワーク運用管理方法をコンピュータに実行させるプログラムである。ＣＰＵ２０１は、プログラム２０４に基づいて、ネットワーク管理装置２の受信部、送信部、機器識別部２１、エミュレータ部２２、画像作成部２３、フィルタリング部２４、及び画像合成部２５を実現する。
【００７１】
上述の例において、プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７２】
なお、本発明は上記実施の形態に限られたものではなく、趣旨を逸脱しない範囲で適宜変更することが可能である。
【００７３】
上記の実施形態の一部又は全部は、以下の付記のようにも記載されうるが、以下には限られない。
【００７４】
（付記１）識別マーカーが付されたネットワーク機器を撮影して撮影画像を生成するカメラと、前記識別マーカーを含む複数の識別マーカーの外観を示す複数の識別マーカー情報と前記ネットワーク機器を含む複数のネットワーク機器の複数の設定情報とを対応付けて格納したデータベースと、前記撮影画像及び前記データベースに基づいて前記ネットワーク機器を識別する機器識別手段と、前記データベースに格納された前記ネットワーク機器の設定情報に基づいて前記ネットワーク機器を含む通信経路をエミュレートするエミュレータ手段と、前記通信経路の少なくとも一部を表す画像を作成する画像作成手段と、前記画像を前記ネットワーク機器又は前記撮影画像と重畳して表示する拡張現実表示装置とを具備するネットワーク運用管理システム。
【００７５】
（付記２）付記１に記載のネットワーク運用管理システムであって、前記エミュレータ手段は、前記ネットワーク機器に適用される予定の設定変更情報に基づいて前記ネットワーク機器を含む設定変更後通信経路をエミュレートし、前記画像作成手段は、前記設定変更後通信経路の少なくとも一部を表す設定変更後画像を作成し、前記拡張現実表示装置は、前記設定変更後画像を前記ネットワーク機器又は前記撮影画像と重畳して表示するネットワーク運用管理システム。
【００７６】
（付記３）付記２に記載のネットワーク運用管理システムであって、前記拡張現実表示装置は、前記画像及び前記設定変更後画像を異なる色で表示するネットワーク運用管理システム。
【００７７】
（付記４）付記２又は３に記載のネットワーク運用管理システムであって、前記拡張現実表示装置は、前記画像及び前記設定変更後画像を同時に表示するネットワーク運用管理システム。
【００７８】
（付記５）付記２又は３に記載のネットワーク運用管理システムであって、運用管理者端末を更に具備し、前記拡張現実表示装置は、前記運用管理者端末の操作に基づいて前記画像及び前記設定変更後画像を切り替えて表示するネットワーク運用管理システム。
【００７９】
（付記６）付記１乃至５のいずれか一つに記載のネットワーク運用管理システムであって、前記通信経路から運用管理者が指定した端末の間の通信経路を抽出するフィルタリング手段を更に具備し、前記画像は、前記端末の間の前記通信経路の少なくとも一部を表すネットワーク運用管理システム。
【００８０】
（付記７）付記６に記載のネットワーク運用管理システムであって、前記端末の間の前記通信経路は、第１通信経路及び第２通信経路を含み、前記画像は、前記第１通信経路の少なくとも一部を表す第１画像と、前記第２通信経路の少なくとも一部を表す第２画像とを含み、前記拡張現実表示装置は、前記第１画像及び第２画像を異なる色で表示するネットワーク運用管理システム。
【００８１】
（付記８）付記１乃至７のいずれか一つに記載のネットワーク運用管理システムであって、前記カメラのカメラ位置情報及びカメラ姿勢情報を検出する位置・姿勢センサを更に具備し、前記データベースは、前記複数の識別マーカー情報と前記複数のネットワーク機器の複数のネットワーク機器位置情報とを対応付けて格納し、前記通信経路の送信元及び送信先を含む複数の端末の複数の端末位置情報と前記複数の端末にそれぞれ付された複数の端末識別マーカーの外観を示す複数の端末識別マーカー情報とを対応付けて格納し、前記画像作成手段は、前記カメラ位置情報、前記カメラ姿勢情報及び前記データベースに基づいて前記通信経路の一部を前記画像の作成対象として選択し、前記カメラの動きに同期して前記通信経路のうち前記画像の作成対象となる部分を変更するネットワーク運用管理システム。
【００８２】
（付記９）付記１乃至７のいずれか一つに記載のネットワーク運用管理システムであって、前記カメラのカメラ位置情報を検出する位置センサを更に具備し、前記データベースは、前記通信経路の送信元及び送信先を含む複数の端末の複数の端末位置情報を格納し、前記画像作成手段は、前記カメラ位置情報及び前記データベースに基づいて前記送信元又は前記送信先としての端末が前記カメラから遠隔地にあると判定し、前記送信元又は前記送信先としての前記端末が遠隔地に設置されていることを示す端末設置情報画像を作成し、前記拡張現実表示装置は、前記画像とともに前記端末設置情報画像を表示するネットワーク運用管理システム。
【００８３】
（付記１０）識別マーカーが付されたネットワーク機器を撮影して撮影画像を生成するステップと、前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、前記データベースに格納された前記ネットワーク機器の設定情報に基づいて前記ネットワーク機器を含む通信経路をエミュレートするステップと、前記通信経路の少なくとも一部を表す画像を作成するステップと、前記画像を前記ネットワーク機器又は前記撮影画像と重畳して拡張現実表示するステップとを具備するネットワーク運用管理方法。
【００８４】
（付記１１）識別マーカーが付されたネットワーク機器を撮影して生成された撮影画像を受信する受信手段と、前記識別マーカーを含む複数の識別マーカーの外観を示す複数の識別マーカー情報と前記ネットワーク機器を含む複数のネットワーク機器の複数の設定情報とを対応付けて格納したデータベースと、前記撮影画像及び前記データベースに基づいて前記ネットワーク機器を識別する機器識別手段と、前記データベースに格納された前記ネットワーク機器の設定情報に基づいて前記ネットワーク機器を含む通信経路をエミュレートするエミュレータ手段と、前記通信経路の少なくとも一部を表す画像を作成する画像作成手段と、前記画像を前記ネットワーク機器又は前記撮影画像と重畳して表示する拡張現実表示装置に前記画像を送信する送信手段とを具備するネットワーク管理装置。
【００８５】
（付記１２）識別マーカーが付されたネットワーク機器を撮影して生成された撮影画像を受信するステップと、前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、前記データベースに格納された前記ネットワーク機器の設定情報に基づいて前記ネットワーク機器を含む通信経路をエミュレートするステップと、前記通信経路の少なくとも一部を表す画像を作成するステップと、前記画像を前記ネットワーク機器又は前記撮影画像と重畳して表示する拡張現実表示装置に前記画像を送信するステップとを具備するネットワーク運用管理方法。
【００８６】
（付記１３）識別マーカーが付されたネットワーク機器を撮影して生成された撮影画像を受信するステップと、前記識別マーカーを含む複数の識別マーカーの外観を示す複数の識別マーカー情報と前記ネットワーク機器を含む複数のネットワーク機器の複数の設定情報とを対応付けて格納したデータベースと前記撮影画像とに基づいて前記ネットワーク機器を識別するステップと、前記データベースに格納された前記ネットワーク機器の設定情報に基づいて前記ネットワーク機器を含む通信経路をエミュレートするステップと、前記通信経路の少なくとも一部を表す画像を作成するステップと、前記画像を前記ネットワーク機器又は前記撮影画像と重畳して表示する拡張現実表示装置に前記画像を送信するステップとを具備するネットワーク運用管理方法をコンピュータに実行させるプログラム。
【符号の説明】
【００８７】
１０  ネットワーク機器
１０ａ  識別マーカー
１１  端末
１１ａ  識別マーカー
１３  撮影画像
２  ネットワーク管理装置
２０  データベース
２０ａ  識別マーカー情報
２０ｂ  設定情報
２０ｆ  位置情報
２１  機器識別部
２２  エミュレータ部
２３  画像作成部
２３ａ（２３１〜２３８）  画像
２４  フィルタリング部
３０  拡張現実表示装置
３１  カメラ
３２  位置・姿勢センサ
３２ａ  位置・姿勢情報
４  運用管理者端末
４１  設定変更情報
【図１】
2014175709.tif 000003
【図２】
2014175709.tif 000004
【図３】
2014175709.tif 000005
【図４】
2014175709.tif 000006
【図５】
2014175709.tif 000007
【図６】
2014175709.tif 000008
【図７】
2014175709.tif 000009
【図８】
2014175709.tif 000010
【図９】
2014175709.tif 000011
【図１０】
2014175709.tif 000012
【図１１】
2014175709.tif 000013
【図１２】
2014175709.tif 000014
【図１３】
2014175709.tif 000015
【図１４】
2014175709.tif 000016
【図１５】
2014175709.tif 000017